(57)【要約】【課題】枠体と宝石を嵌合させる部分の接触を少なくして宝石に入射する光を多く取り込み、該宝石の輝きを増幅させるとともに熟練を要さずに嵌合作業時における凹凸状の傷の発生をなくすことで、低コストにて装飾性も兼ね備えた装身用部材を提供する。【解決手段】装身用部材１は、枠体２と該枠体内に宝石３を有してなるものであり、枠体２は、嵌合させる宝石３の径より寸法を最小で０.２ｍｍ、最大で１.８ｍｍ大きくした抜き部８と、該抜き部を設けた枠体の側面に宝石３のガードル４が嵌り込む３箇所の保持部７，７ａ，７ｂとからなり、抜き部８に宝石３を配置するとともに枠体２と宝石３が嵌合する部分が湾曲形状となる一対の型を用いて、枠体２の側面に対して垂直方向に１回の圧力にて湾曲形状で宝石３を嵌合させてなるものである。【選択図】図３
2007054612.tif 000002
【特許請求の範囲】
【請求項１】
外側からの圧力による２点乃至６点留めのいずれかで宝石を嵌合させた装身用部材であって、該装身用部材は、枠体と該枠体内に宝石を有してなるものであり、
前記枠体は、嵌合させる宝石の径より上下左右および斜め寸法を０.１ｍｍ乃至１５ｍｍの範囲で大きくした抜き部と、該抜き部を設けた枠体の側面に宝石のガードルが嵌り込む保持部とからなり、
前記抜き部に宝石を配置するとともに枠体と宝石が嵌合する部分が湾曲形状となる一対の型を用いて、枠体の側面に対して垂直方向に１回または２回の圧力にて湾曲形状で宝石を嵌合させることを特徴とする宝石を有する装身用部材。
【請求項２】
外側からの圧力による２点乃至６点留めのいずれかで宝石を嵌合させた装身用部材であって、該装身用部材は、枠体と該枠体内に宝石を有してなるものであり、
前記枠体は、嵌合させる宝石の径より上下左右および斜め寸法を０.１ｍｍ乃至１５ｍｍの範囲で大きくした抜き部と、該抜き部を設けた枠体の側面に宝石のガードルが嵌り込む保持部とからなり、
前記抜き部に宝石を配置するとともに枠体と宝石が嵌合する部分が湾曲形状となる一対の型を用いて、枠体の側面に対して垂直方向に１回または２回の圧力にて湾曲形状で宝石を嵌合させ、更に、前記型と形状が異なる一対の型を用いて、枠体の側面に対して垂直方向の圧力にて湾曲形状で宝石を嵌合させることを特徴とする宝石を有する装身用部材。
【請求項３】
請求項１または請求項２に記載の宝石を有する装身用部材を用いて、連結または組み合わせにて形成させたことを特徴とする装身具。
【発明の詳細な説明】
【技術分野】
【０００１】
本発明は、抜き部を有した枠体の該抜き部分に宝石を配置するとともに枠体の側面に対して垂直方向の圧力にて湾曲形状で宝石を嵌合させた宝石を有する装身用部材とそれを用いて形成する装身具に関する。
【背景技術】
【０００２】
宝石を有した装身具は、ロストワックス鋳造法等で指輪、ペンダント、ブローチ、イヤリング等を形成するとともに装身具本体の適所に宝石を嵌め込む下穴を設けて宝石を嵌合させるのが一般的であるが、この種の嵌合方法として、宝石の周囲に爪を２本乃至４本のいずれかを設けて該爪を倒して嵌合させる爪留め、宝石の周囲部分の地金をダガネで打ち叩き伏せ込んで該宝石を嵌合させる覆輪留め、宝石の周囲の地金部分をタガネで彫ることにより模様および爪を設けて該模様の中に設けた爪にて宝石を嵌合させる彫り留めが多く用いられている。
【０００３】
しかし、前記嵌合方法がなされた装身具は、爪留めと彫り留めでは石座と爪、覆輪留めでは、伏せ込んで囲んだ地金によってかなりの宝石の部分が覆われてしまい、宝石に入射する光が減殺されて、その輝きが損なわれてしまうという欠点があった。
【０００４】
前記欠点の対応策として、上半部には複数のカット面から略円錘台状あるいは略角錐台状に形成されるクラウンと、下半部には複数のカット面から略円錐状あるいは略角錐状に形成されるパビリオンと、その間の周縁部には帯状に形成されるガードルを備えた宝石を、該ガードルの全周あるいは少なくとも半周以上に巻着する薄厚の支持片により支持する宝石固定金具がある。（例えば、特許文献１参照。）。
【０００５】
また、所定のカット形状を有する宝石を復元性の性質を有する基材にセッティングするに当たって、基材にその宝石の形状に略対応し且つ宝石の外形よりもやや小さ目の穴を穿け、該穴の開口部に至る垂直な内側に周方向に沿う溝部を穿設して係止用縁部を形成すると共に、前記溝部は取り付けられる宝石の外周縁よりもやや大き目に形成し、該係止用縁部の復元性を利用して前記穴に宝石を圧入し、前記係止用縁部が復元して宝石の外周縁に係合するようにした宝石の取り付け方法がある。（例えば、特許文献２参照。）。
【０００６】
また、宝石を保持する金属製の板状枠体をプレス加工によって種々のモチーフに成形し、かつ適所に宝石の上部を露出させる開口部を形成するとともに、宝石を上記開口部にその上部を露出させた状態で板状枠体の背面に取り付け、板状枠体の周縁から背面に向けて一体的に突設した複数の爪片で上記宝石を係合固定する宝石の組み付け構造がある。（例えば、特許文献３参照。）。
【０００７】
また、宝石（１）を形状結合してクランプする収容部が設けられており、この収容部が、両方の端部において互いに結合されかつ自身の間に宝石（１）のための収容穴（３）を形成する２つの金具（２）からなる、宝石（１）のための保持部において、一片の金具（２）の互いに対向する２つの切り欠き（４）内だけに噛み合った宝石（１）が、弾性金具初応力を受けて収容穴（３）内にクランプされている宝石のための保持部が提案されている。（例えば、特許文献４参照。）。
【０００８】
更に、指輪主体の外周面に肉厚の膨出部を設け、該膨出部に十字状の切欠き溝を形成してこの切欠き溝の交錯中心部に宝石を勘合し、その周縁を上記切欠き溝の形状によって設けられる隅角部で抱持し、固定するようにした指輪がある。（例えば、特許文献５参照。）。
【０００９】
上記特許文献１乃至３の宝石の嵌合は、いずれも宝石のガードルの全周あるいは少なくとも半周が支持片や基材、板状枠体の周縁と接触した状態で宝石が嵌合されていることを特徴とし、
特許文献４は、溶接等で結合した対向する２つの金具の弾性金具初応力にて宝石が２点留めにて嵌合され、
特許文献５は、外周面に肉厚の膨出部を設け、該膨出部に十字状の切欠き溝を形成して、この切欠き溝の交錯中心部に宝石を勘合させる４点にて嵌合させるものであり、
いずれも技術的に熟練を要する石留めであり、熟練を要さずに枠体等の周縁部が少ない状態で宝石が嵌合されている装身具の開発が望まれている。
【００１０】
【特許文献１】登録実用新案第３０６４７６３号公報
【特許文献２】特許第３３６７７３３号公報
【特許文献３】特開２０００−１８９２２０号公報
【特許文献４】特表２０００−５１５７９５号公報
【特許文献５】実開昭５４−８７１９４号公報
【発明の開示】
【発明が解決しようとする課題】
【００１１】
本発明は上記を鑑み解決しようとする問題点は、熟練を要さず、嵌合作業時における凹凸状の傷の発生をなくすことで低コストの商品を提供する。
【００１２】
また、枠体と宝石を嵌合させる部分の接触を少なくして宝石に入射する光を多く取り込み、該宝石の輝きを増幅させるとともに装飾性も兼ね備えた商品の提供を目的としたものである。
【課題を解決するための手段】
【００１３】
前記目的を達成するために、請求項１に係る発明は、枠体と該枠体内に宝石を有してなるものであり、前記枠体は、嵌合させる宝石の径より上下左右および斜め寸法を０.１ｍｍ乃至１５ｍｍの範囲で大きくした抜き部と、該抜き部を設けた枠体の側面に宝石のガードルが嵌り込む保持部とからなり、前記抜き部に宝石を配置するとともに枠体と宝石が嵌合する部分が湾曲形状となる一対の型を用いて、枠体の側面に対して垂直方向に１回または２回の圧力にて湾曲形状で宝石を嵌合させてなるものである。
【００１４】
また、請求項２に係る発明は、枠体と該枠体内に宝石を有してなるものであり、前記枠体は、嵌合させる宝石の径より上下左右および斜め寸法を０.１ｍｍ乃至１５ｍｍの範囲で大きくした抜き部と、該抜き部を設けた枠体の側面に宝石のガードルが嵌り込む保持部とからなり、前記抜き部に宝石を配置するとともに枠体と宝石が嵌合する部分が湾曲形状となる一対の型を用いて、枠体の側面に対して垂直方向に１回または２回の圧力にて湾曲形状で宝石を嵌合させ、更に、前記型と形状が異なる一対の型を用いて、枠体の側面に対して垂直方向の圧力にて湾曲形状で宝石を嵌合させてなるものである。
【００１５】
また、請求項３に係る発明は、請求項１または請求項２に記載の宝石を有する装身用部材を連結または組み合わせにて、装身具であるネックレス、ブレスレット、指輪、イヤリング、ピアス、ペンダント、ブローチ等を形成させるものである。
【発明の効果】
【００１６】
以上述べたように、本発明は、次のような効果を得ることができる。
（ａ）枠体をダガネで打ち叩くまたはヤットコを用いたカシメでの石留めではなく、枠体の側面に対して垂直方向の圧力にて宝石を嵌合させたことにより、嵌合作業時における凹凸状の傷の発生をなくすことで、枠体の成形作業が省け、石留め工数削減ができる。
（ｂ）枠体と宝石が嵌合する部分が湾曲形状となる一対の型または当該型および形状が異なる一対の型を用いて宝石を嵌合することにより、熟練を要さずに宝石の嵌合状態も綺麗、且つ、確実に嵌合できるとともに低コストにて提供することができる。
（ｃ）枠体と宝石が嵌合する部分が湾曲形状となるように枠体の側面に対して垂直方向の圧力にて２点乃至６点留めのいずれかで宝石を嵌合させたことにより、宝石と接触する部分が少なくなり、宝石に入射する光を多く取り込んで宝石の輝きを増幅させることが可能となった。
（ｄ）本発明に係わる宝石を有する装身用部材を連結または組み合わせることにより、デザインの自由度が広がり、趣味性に富んだ装飾性をも兼ね備えた装身具、例えば、ネックレス、ブレスレット、ペンダント等を提供することができる。
【発明を実施するための最良の形態】
【００１７】
以下本発明の実施例を図面に基づいて詳細に説明する。
図１は、本発明の請求項１に係わる宝石を有する装身用部材１を構成する部材図であり、図１（ａ）は、板厚２.５ｍｍの板材をプレス加工にて抜き部８となるハート形の内径抜きと、ハート形の外形抜きを行い、該抜き部を設けた内径側面途中に宝石３のガードル４が嵌り込む３箇所の保持部７，７ａ，７ｂを設けてハート形の枠体２を形成した。
【００１８】
透かし部８の内径の大きさは、後記の図１（ｂ）に示す宝石３より上下左右および斜め寸法を最小で０.２ｍｍ、最大１.８ｍｍの大きさで設けた。
枠体２を形成させる手段として、ロストワックス鋳造法およびワイヤーカット加工等があり、試作は、ワイヤーカット加工にて行い、量産はプレス加工にて行った。
ロストワックス鋳造法は、保持部７，７ａ，７ｂを原型に設ければ、枠体２に保持部を設ける２次加工は省略できるメリットもあり、どの加工方法を用いるかはコストおよびデザイン等を踏まえて選択できる。
【００１９】
図１（ｂ）は、実施例として、宝石３にはラウンドブリリアントカットのダイヤを用いて図示し、ｂ−１は、正面図、ｂ−２は、平面図であり、外形寸法として外径４ｍｍ、高さ２.４ｍｍ、カラット数は０.２５ｃｔのダイヤを用いた。
【００２０】
図２、図３は、前記の枠体２および宝石３を用いて、枠体２の抜き部８に宝石３を配置するとともに一対の型を用いて、湾曲形状となるように、枠体２の側面９に対して垂直方向の圧力で宝石３を３点留めにて嵌合させた本発明の宝石を有する装身用部材１を形成させたことを示し、
図２（ａ）は正面図、図２（ｂ）は右側面図、図３はＡ−Ａ線断面図で示したものである。
【００２１】
図４の（ａ）（ｂ）（ｃ）（ｄ）は、宝石３に０.２５ｃｔのラウンドブリリアントカットのダイヤを用い、本発明の枠体と宝石が嵌合する部分が湾曲形状となるように、枠体の側面に対して垂直方向の圧力による２点、４点、５点、６点留めにて宝石３を嵌合させた宝石を有する装身用部材１ａ，１ｂ，１ｃ，１ｄを形成させた実施例を示す。
【００２２】
図４（ａ）は、矩形の外形および抜き部８を設けて枠体２ａを形成し、抜き部８を設けた枠体２ａの側面に、宝石のガードル４が嵌り込む２箇所の保持部７，７ａを設け、矩形の枠体２ａの抜き部８に宝石３がアンシンメトリーとなる配置とするために、矩形の抜き部８を宝石３の外径より左右を０.２ｍｍ、上を５ｍｍ、下を１ｍｍ大きくなるように設けて抜き部８に宝石３を配置し、保持部７，７ａと宝石３が嵌合する部分が湾曲形状となるように、一対の型を用いて、枠体２ａの側面に対して垂直方向の圧力による２点留めにて宝石３を嵌合させた宝石を有する装身用部材１ａを形成させた。
【００２３】
図４（ｂ）は、十字形の外形および抜き部８を設けて枠体２ｂを形成し、抜き部８を設けた枠体２ｂの側面に、宝石３のガードル４が嵌り込む４箇所の保持部７，７ａ，７ｂ，７ｃを設け、十字形の枠体２ｂの抜き部８を宝石３の外径より斜めを０.１ｍｍ、上下左右を２.２ｍｍ大きくなるように設けて抜き部８に宝石３を配置し、保持部７，７ａ，７ｂ，７ｃと宝石３が嵌合する部分が湾曲形状となるように、一対の型を用いて、枠体２ｂの側面に対して垂直方向の圧力による４点留めにて宝石３を嵌合させた宝石を有する装身用部材１ｂを形成させた。
【００２４】
図４（ｃ）は、五弁花形の外形および抜き部８を設けて枠体２ｃを形成し、抜き部８を設けた枠体２ｃの側面に、宝石３のガードル４が嵌り込む５箇所の保持部７，７ａ，７ｂ，７ｃ，７ｄを設け、五弁花形の枠体２ｃの抜き部８を宝石３の外径より最小で０.１ｍｍ、最大で１.６ｍｍ大きくなるように設けて抜き部８に宝石３を配置し、保持部７，７ａ，７ｂ，７ｃ，７ｄと宝石３が嵌合する部分が湾曲形状となるように、一対の型を用いて、枠体２ｃの側面に対して垂直方向にて角度を変えての計２回の圧力による５点留めにて宝石３を嵌合させた宝石を有する装身用部材１ｃを形成させた。
【００２５】
図４（ｄ）は、六花形の外形および抜き部８を設けて枠体２ｄを形成し、抜き部８を設けた枠体２ｄの側面に、宝石３のガードル４が嵌り込む６箇所の保持部７，７ａ，７ｂ，７ｃ，７ｄ，７ｅを設け、六花形の枠体２ｄの抜き部８を宝石３の外径より最小で０.１ｍｍ、最大で１.３ｍｍ大きくなるように設けて抜き部８に宝石３を配置し、７，７ａ，７ｂ，７ｃ，７ｄ，７ｅと宝石３が嵌合する部分が湾曲形状となるように、一対の型を用いて、枠体２ｄの側面に対して垂直方向にて角度を変えての計２回の圧力による６点留めにて宝石３を嵌合させた宝石を有する装身用部材１ｄを形成させた。
【００２６】
図示は省略したが、３点留めは、正三角形（一辺が７.８ｍｍ）の外形および抜き部を有し、抜き部を設けた枠体の側面に、宝石（外径４ｍｍ）のガードルが嵌り込む３箇所の保持部を設け、三角形の枠体の抜き部を宝石の外径より最小で０.２５ｍｍ、最大で２.５ｍｍ大きくして、抜き部に宝石を配置し、一対の型を用いて、湾曲形状となるように、枠体の側面に対して垂直方向の圧力による３点留めにて宝石を嵌合させた宝石を有する装身用部材を形成させることができる。
【００２７】
また、図示は省略したが、図４（ａ）と同じ矩形の外形および抜き部を有し、抜き部を設けた枠体の側面に、宝石のガードルが嵌り込む２箇所の保持部を設け、矩形の枠体の抜き部に宝石３がアンシンメトリーとなる配置とするために、矩形の抜き部を宝石の外径より左右を０.２ｍｍ、上を１５ｍｍ、下を３ｍｍ大きくなるように設けて、抜き部に宝石を配置し、前記保持部と宝石が嵌合する部分が湾曲形状となるように、一対の型を用いて、枠体の側面に対して垂直方向の圧力による２点留めにて宝石を嵌合させた宝石を有する装身用部材を形成させことをできる。
そして、応用として、外形および抜き部を滴形状とすれば需要者が好むデザインとなり、滴形状を単体としたペンダント等に用いることができる。
【００２８】
図５，図６は、一対の型を用いて図４に示した宝石を有する装身用部材（ａ）〜（ｄ）の２点、４点、５点、６点留めの嵌合状態例を示す図であり、当該型は、断面にて示した。  尚、各型の製作に当たっては、ワイヤーカット加工機を用いた。
【００２９】
図５（ａ）は、矩形の外形および抜き部８を有し、抜き部８を設けた枠体２ａの側面に、宝石のガードル４が嵌り込む２箇所の保持部を設け、矩形の枠体２ａの抜き部８に宝石３がアンシンメトリーとなる配置とするために、矩形の抜き部８を宝石３の外径より左右を
０.２ｍｍ、上を５ｍｍ、下を１ｍｍ大きくなるように設けて抜き部８に宝石３を配置し、枠体２ａと宝石３が嵌合する部分が湾曲形状となる型５１，５１ａを用いて、枠体２ａの左右の側面に対して垂直方向からの１回の圧力による湾曲形状５５ａ，５５ａ-１の２点留めにて宝石３を嵌合させた嵌合状態を示す。
【００３０】
図５（ｂ）は、十字形の外形および抜き部８を有し、抜き部８を設けた枠体２ｂの側面に、宝石のガードル４が嵌り込む４箇所の保持部を設け、十字形の枠体２ｂの抜き部８を宝石３の外径より斜めを０.１ｍｍ、上下左右を２.２ｍｍ大きくして抜き部８に宝石３を配置し、枠体２ｂと宝石３が嵌合する部分が湾曲形状となる型５２，５２ａを用いて、枠体２ｂの左右の側面に対して垂直方向からの１回の圧力による湾曲形状５５ｂ，５５ｂ-１，５５ｂ-２，５５ｂ-３の４点留めにて宝石３を嵌合させた嵌合状態を示す。
【００３１】
図６（ｃ）は、枠体の側面に対して垂直方向からの２回の圧力にて湾曲形状となるように宝石を嵌合させる実施例であり、五弁花形の外形および抜き部８を有し、抜き部８を設けた枠体２ｃの側面に、宝石のガードル４が嵌り込む５箇所の保持部を設け、五弁花形の枠体２ｃの抜き部８を宝石３の外径より最小で０.１ｍｍ、最大で１.６ｍｍ大きくして抜き部８に宝石３を配置し、枠体２ｃと宝石３が嵌合する部分が湾曲形状となる押し型５３，５３ａを用いて、枠体２ｃの側面に対して垂直方向からの圧力による湾曲形状５５ｃ，５５ｃ-１，５５ｃ-３の３点留めを行い当該型５３，５３ａを枠体２ｃよりいったん取り外して７２度回転させて、枠体２ｃの側面に対して垂直方向からの圧力による湾曲形状５５ｃ-２，５５ｃ-４にて残りの二箇所を嵌合させた嵌合状態を示す。
【００３２】
図６（ｄ）は、枠体の側面に対して垂直方向からの２回の圧力にて湾曲形状となるように宝石を嵌合させる実施例であり、六花形の外形および抜き部８を有し、抜き部８を設けた枠体２ｄの側面に、宝石のガードル４が嵌り込む６箇所の保持部を設け、六花形の枠体２ｄの抜き部８を宝石３の外径より最小で０.１ｍｍ、最大で１.３ｍｍ大きくして抜き部８に宝石３を配置し、枠体２ｄと宝石３が嵌合する部分が湾曲形状となる型５４，５４ａを用いて、枠体２ｄの側面に対して垂直方向からの圧力による湾曲形状５５ｄ，５５ｄ-１，５５ｄ-３，５５ｄ-４の３点留めを行い、当該型５４，５４ａを枠体２ｄよりいったん取り外して６０度回転させて、枠体２ｄの側面に対して垂直方向からの圧力による湾曲形状５５ｄ-２，５５ｄ-５にて残りの二箇所を嵌合させた嵌合状態を示す。
【００３３】
図７は、前記図５および図６に係る製造過程を示し、板材をプレスの打ち抜き加工にて、ハート形の外形および嵌合させる宝石３の外径より上下左右および斜め寸法を最小で０.２ｍｍ、最大１.８ｍｍで大きくしたハート形の抜き部８を有する枠体２を製造する工程図（ａ）と、抜き部８を設けた枠体２の側面に宝石のガードル４が嵌り込む３箇所の保持７，７ａ，７ｂを設けて抜き部８に宝石３を配する工程図（ｂ）と、湾曲形状５５，５５-１を設けた型５０ａと、型５０を、前記宝石３を配した枠体２に配置する工程図（ｃ）とを示す。
【００３４】
尚、ハートの抜き部８を設けた枠体２の側面に保持部７，７ａ，７ｂを設ける場合は、枠体２の上面と宝石のテーブル５が同一の高さになる位置が最良であり、その手段としては、図７（ｂ）図示したが、宝石３のキューレット６を上向きにして枠体２の抜き部８に配置すれば枠体２の上面とする面と宝石３のテーブル５が同一の高さとなり、その状態で宝石３のガードル４を抜き部８を設けた枠体２の側面に擦りつけて保持部７，７ａ，７ｂの位置を罫書いて印を付けた後、タガネ等で保持部７，７ａ，７ｂを設けることができる。
【００３５】
図８は、前記の工程図（ｃ）より、湾曲形状５５，５５-１を設けた型５０ａと型５０による側壁に対して垂直方向からの圧力にて、枠体２の二辺が湾曲形状となり、宝石３を３点留めにて枠体２に嵌合させた工程図（ｄ）と、型５０ａと型５０を取り外す工程図（ｅ）を示すものである。
【００３６】
図９，図１０は、本発明の請求項３に係わる実施例を示し、図９は、図７，図８で得られた装身用部材１の嵌合状態を示し、そして、図１０は、図９に対して、形状が異なる一対の型を用いて、図９より、更に良い嵌合状態を得るために、図１０（ｃ）に示す湾曲形状６１ｂを設けた型６０と、湾曲形状６１，６１ａを設けた型６０ａを、図１０（ｄ）に示す枠体２の側面に対して、型６０と、型６０ａによる垂直方向からの圧力にて確実に宝石３を嵌合させることができる。
【００３７】
図１１は、本発明の宝石を有する装身用部材１を複数個用いて、各宝石を有する装身用部材１の上下の位置に連結環１４をロー付けにより取り付け、該宝石を有する装身用部材１を連結して長さ１６０ｍｍにした後、一端に連結環１３を介して金具１１を連結、連結環１３を介して金具受け１３を連結して１８０ｍｍの装身具であるブレスレットを形成させた。
また、図示はしないが、ネックレスを形成させる場合は、上下に連結環１４を取り付けた宝石を有する装身用部材１を欲する長さに連結し、一端に金具１１、他端に金具受け１２を連結して形成させることができる。
【００３８】
図１２は、本発明の宝石を有する装身用部材１を複数個用いて形成した（ａ）ピアス２０、（ｂ）ペンダント３０、（ｃ）指輪４０を示し、図１２（ａ）ピアス２０は、宝石を有する装身用部材１を５個用いて、内４個の宝石を有する装身用部材１の上下の位置に連結環１４を、また、１個には上の位置にのみ連結環１４をロー付けにより取り付け、前記の４個を連結し、そして、残りの１個を下端に連結して４０ｍｍの長さにした後、一端に飾り玉２２を取り付けたピアスピン２１を上端の連結環１４に挿通してピアスの片側を形成させた。同じ作業順にて、もう片方のピアスを形成させれば一対のピアスとなる。
【００３９】
図１２（ｂ）ペンダント３０は、本発明の宝石を有する装身用部材１を３個用いて、内２個の宝石を有する装身用部材１の上下の位置に連結環１４を、また、１個には上の位置にのみ連結環１４をロー付けにより取り付け、前記の２個を連結し、そして、残りの１個を下端に連結して２５ｍｍの長さにした後、バチカン３１を上端の連結環１４と連結してバチカン３１にチェーン３２を挿通することによりペンダント３０として使用できる。
【００４０】
また、図示は省略したが、ブローチとする場合は、前記ペンダント３０よりチェーン３２を取り外し、バチカン３１にブローチ金具を挿通すればブローチとして使用できる。
【００４１】
図１２（ｃ）指輪４０は、本発明の宝石を有する装身用部材１を８個用いて、レーザーまたは低融点ローにて得たい形状に接合した後、環状の腕４１に接合することで形成させることができる。
【図面の簡単な説明】
【００４２】
【図１】本発明に係る宝石を有する装身用部材を構成する部材図である。
【図２】図１の部材を用いて構成した宝石を有する装身用部材の実施の形態を示す正面図と右側面図である。
【図３】図２に示したＡ−Ａ線断面図である。
【図４】本発明に係る宝石を有する装身用部材の実施例を示す正面図である。
【図５】本発明の一対の型を用いて、図４（ａ）、図４（ｂ）は、２点および４点留めされた宝石を有する装身用部材の嵌合状態を示す図である。
【図６】本発明の一対の型を用いて、図４（ｃ）、図４（ｄ）は、５点および６点留めされた宝石を有する装身用部材の嵌合状態を示す図である。
【図７】本発明の一対の型を用いた製作前工程を示す図である。
【図８】本発明の一対の型を用いた製作後工程を示す図である。
【図９】本発明の請求項２に係わる一対の型を用いた図である。
【図１０】本発明の請求項２に係わる更に形状が異なる一対の型を用いた図である。
【図１１】本発明に係る宝石を有する装身用部材を用いてブレスレットを切り欠いて示す図である。
【図１２】本発明に係る宝石を有する装身用部材を用いてピアス、ペンダント、指輪を形成した実施例を示す図である。
【符号の説明】
【００４３】
１    宝石を有する装身用部材
２，２ａ，２ｂ，２ｃ，２ｄ  枠体
３    宝石
４    ガードル
５    テーブル
６    キューレット
７，７ａ，７ｂ，７ｃ，７ｄ，７ｅ    保持部
８    抜き部
９    側面
１０    ブレスレット
１１    金具
１２    金具受け
１３    連結環
１４    連結環
２０    ピアス
２１    ピアスピン
２２    飾り玉
３０    ペンダント
３１    バチカン
３２    チェーン
４０    指輪
４１    腕
５０，５０ａ    型
５１，５１ａ    型
５２，５２ａ    型
５３，５３ａ    型
５４，５４ａ    型
５５，５５ａ，５５ｂ，５５ｃ，５５ｄ，５５ｅ  湾曲形状
５６    空間部
６０，６０ａ，５５ｂ，５５ｃ，５５ｄ    型
６１，６１ａ，６１ｂ    湾曲形状      
【図１】
2007054612.tif 000003
【図２】
2007054612.tif 000004
【図３】
2007054612.tif 000005
【図４】
2007054612.tif 000006
【図５】
2007054612.tif 000007
【図６】
2007054612.tif 000008
【図７】
2007054612.tif 000009
【図８】
2007054612.tif 000010
【図９】
2007054612.tif 000011
【図１０】
2007054612.tif 000012
【図１１】
2007054612.tif 000013
【図１２】
2007054612.tif 000014